(57)【要約】【課題】  ツマミをパネルに精度良く位置決めできると共に、回転型電気部品の接続端子部にもストレスを与えることのない、回転型電気部品及びその取付構造を提供する。【解決手段】  パネル１１へ位置決めされて取付けられる取付け部を有するハウジング１、７と、このハウジング１、７に回転可能に保持され、パネル１１と交差する方向へ突出する回転軸５と、ハウジング１、７に収納され、回転軸５の回転に伴って信号を検出する信号検出手段２ａ、４と、ハウジング１、７の底面側に延出され、信号検出手段２ａ、４の検出信号を出力する外部接続端子２ｂとを備え、外部接続端子２ｂを、ハウジング１、７の底面よりも突出すると共に、回路基板１２に対して摺動可能な摺動子片２ｃで形成した。【選択図】        図３
2005251955.tif 000002
【特許請求の範囲】
【請求項１】
パネルへ位置決めされて取付けられる取付け部を有するハウジングと、このハウジングに回転可能に保持され、パネルと交差する方向へ突出する回転軸と、前記ハウジングに収納され、前記回転軸の回転に伴って信号を検出する信号検出手段と、前記ハウジングの底面側に延出され、前記信号検出手段の検出信号を出力する外部接続端子とを備え、前記外部接続端子を、前記ハウジングの底面よりも突出すると共に、回路基板に対して摺動可能な摺動子片で形成したことを特徴とする回転型電気部品。
【請求項２】
前記摺動子片は、弾性変形可能に形成され、前記外部接続端子が延出された前記ハウジングの底面部には、前記摺動子片が弾性変形した際に、前記摺動子片を収納する凹溝部を形成したことを特徴とする請求項１記載の回転型電気部品。
【請求項３】
前記外部接続端子は、前記ハウジングに埋設されて一体的に形成され、前記摺動子片を収納する凹溝部の天面側は、前記外部接続端子と一体の金属板により封止したことを特徴とする請求項２記載の回転型電気部品。
【請求項４】
前記外部接続端子は、少なくとも３箇所に形成され、これらの外部接続端子を、前記回転軸の周方向に沿って、それぞれ異なる角度位置に配置したことを特徴とする請求項１乃至３の何れかに記載の回転型電気部品。
【請求項５】
請求項１乃至４の何れかに記載の回転型電気部品と、この回転型電気部品が取付けられる係合孔を有するパネルと、このパネルの下方に保持されると共に、前記回転型電気部品が実装される接続パターンを有する回路基板と、前記回転型電気部品の回転軸に取付けられて前記パネルの上方に配置されるツマミとを備え、前記パネルの前記係合孔に前記回転型電気部品の前記取付け部を位置決めすると共に、前記回路基板の前記接続パターンに前記外部接続端子の前記摺動子片を当接させた状態で、前記回路基板を前記パネルに保持したことを特徴とする回転型電気部品の取付構造。
【請求項６】
前記パネルの前記係合孔に、上方へ突出する筒状部を形成し、この筒状部の内壁に前記回転型電気部品の前記ハウジングから突出する前記回転軸の軸受け部を係合させたことを特徴とする請求項５記載の回転型電気部品の取付構造。
【請求項７】
前記パネルの前記係合孔に、階段状の段差部を設け、この段差部に前記回転型電気部品の前記ハウジングの上面周辺部を係合させたことを特徴とする請求項５、又は６記載の回転型電気部品の取付構造。
【発明の詳細な説明】
【技術分野】
【０００１】
本発明は、電子機器等の各種コントロールに使用される回転型電気部品の構造に係り、特に外装パネルや回路基板等に取付けて使用される回転型電気部品及びその取付け構造に関する。
【背景技術】
【０００２】
従来の回転型電気部品の構造としては、外装パネルと、この外装パネルの内部に配置されたシャーシと、このシャーシの保持されたプリント基板と、このプリント基板上に実装された回転型電気部品と、この回転型電気部品の回転軸に取付けられた回転ノブ（ツマミ）とを備え、プリント基板に実装された回転型電気部品をパネルの貫通孔に位置決めすると共に、このプリント基板をシャーシに対して回転型電気部品の回転軸の軸線と直交する面内方向へ移動可能に保持するようにした構造のものが知られている（例えば、特許文献１参照）。
【０００３】
以下、従来の回転型電気部品の構造を図に基づいて説明する。
図５は従来の回転型電気部品の取付構造を示す断面図である。
【０００４】
図において、パネル５１には貫通孔５７及びこれと連続する位置決め孔５７ａが穿設されている。回転型電気部品５４は位置決め孔５７ａに嵌挿されて位置決めされている。回転軸５４ａには回転ノブ５３が固着されてパネル５１の表面から突出しており、回転ノブ５３の下部は貫通孔５７内に収容されている。
【０００５】
プリント基板５５の取付孔５５ａはシャーシ５６のクリンチ部５６ａよりも大きめに設定され、取付孔５５ａとクリンチ部５６ａとの間に画成された遊びの範囲内で、プリント基板５５はシャーシ５６に対して回転軸５４ａの軸線と直交する面内方向へ移動できるようになっている。
【０００６】
組立に際しては、予め回転型電気部品５４をプリント基板５５上に実装した後、プリント基板５５の取付孔５５ａを対応するクリンチ部５６ａに挿入し、クリンチ部５６ａを捻る。この状態で、プリント基板５５はシャーシ５６に対して抜け止めされるが、取付孔５５ａとクリンチ部５６ａ間の遊びの範囲内でシャーシ５６の水平方向へ移動することができる。
【０００７】
次に、プリント基板５５の上からパネル５１を被せ、パネル５１の位置決め孔５７ａを回転型電気部品５４に挿入すると共に、回転軸５４ａを貫通孔５７から突出させる。この時、プリント基板５５はシャーシ５６に対して水平方向へ移動可能であるため、各部品の寸法誤差や取付誤差にかかわらず位置決め孔５７ａを回転方電気部品に挿入することができる。そして、パネル５１の外方から回転軸５４ａに回転ノブ５３を圧入し固定する。このため、回転ノブ５３を貫通孔５７の中心位置に確実に配置させることができる。
【０００８】
【特許文献１】特開平１０−３１２９０１号公報
【発明の開示】
【発明が解決しようとする課題】
【０００９】
しかしながら、上述した従来の回転型電気部品においては、回転型電気部品がパネルに位置決めされる際、プリント基板が移動するため、回転型電気部品の取付部（半田付け部）に力が加わり、接続信頼性を損なう虞があった。また、複数の回転型電気部品が同じプリント基板に取り付けられたものにおいては、個々の回転型電気部品がパネルに位置決めされるため、個々の回転型電気部品の基板への取付位置が異なる方向にばらつくと、回転型電気部品の取付部（半田付け部）にストレスが加わり、やはり接続信頼性が損なわれるという問題があった。
【００１０】
したがって、本発明では上述した問題点を解決し、ツマミをパネルに精度良く位置決めできると共に、回転型電気部品の接続端子部にもストレスを与えることのない、回転型電気部品及びその取付構造を提供することを目的とする。
【課題を解決するための手段】
【００１１】
上記課題を解決するために本発明では第１の解決手段として、パネルへ位置決めされて取付けられる取付け部を有するハウジングと、このハウジングに回転可能に保持され、パネルと交差する方向へ突出する回転軸と、前記ハウジングに収納され、前記回転軸の回転に伴って信号を検出する信号検出手段と、前記ハウジングの底面側に延出され、前記信号検出手段の検出信号を出力する外部接続端子とを備え、前記外部接続端子を、前記ハウジングの底面よりも突出すると共に、回路基板に対して摺動可能な摺動子片で形成した構成とした。
【００１２】
また、第２の解決手段として、前記摺動子片は、弾性変形可能に形成され、前記外部接続端子が延出された前記ハウジングの底面部には、前記摺動子片が弾性変形した際に、前記摺動子片を収納する凹溝部を形成した構成とした。
また、第３の解決手段として、前記外部接続端子は、前記ハウジングに埋設されて一体的に形成され、前記摺動子片を収納する凹溝部の天面側は、前記外部接続端子と一体の金属板により封止した構成とした。
また、第４の解決手段として、前記外部接続端子は、少なくとも３箇所に形成され、これらの外部接続端子を、前記回転軸の周方向に沿って、それぞれ異なる角度位置に配置した構成とした。
【００１３】
また、第５の解決手段として、第１の解決手段乃至第４の解決手段の何れかに記載の回転型電気部品と、この回転型電気部品が取付けられる係合孔を有するパネルと、このパネルの下方に保持されると共に、前記回転型電気部品が実装される接続パターンを有する回路基板と、前記回転型電気部品の回転軸に取付けられて前記パネルの上方に配置されるツマミとを備え、前記パネルの前記係合孔に前記回転型電気部品の前記取付け部を位置決めすると共に、前記回路基板の前記接続パターンに前記外部接続端子の前記摺動子片を当接させた状態で、前記回路基板を前記パネルに保持した構成とした。
【００１４】
また、第６の解決手段として、前記パネルの前記係合孔に、上方へ突出する筒状部を形成し、この筒状部の内壁に前記回転型電気部品の前記ハウジングから突出する前記回転軸の軸受け部を係合させた構成とした。
また、第７の解決手段として、前記パネルの前記係合孔に、階段状の段差部を設け、この段差部に前記回転型電気部品の前記ハウジングの上面周辺部を係合させた構成とした。
【発明の効果】
【００１５】
上述したように、本発明の回転型電気部品は、パネルへ位置決めされて取付けられる取付け部を有するハウジングと、このハウジングに回転可能に保持され、パネルと交差する方向へ突出する回転軸と、ハウジングに収納され、回転軸の回転に伴って信号を検出する信号検出手段と、ハウジングの底面側に延出され、信号検出手段の検出信号を出力する外部接続端子とを備え、外部接続端子を、ハウジングの底面よりも突出すると共に、回路基板に対して摺動可能な摺動子片で形成したことから、回転型電気部品と回路基板の接続部との電気的な接続はハウジングの底面側に形成した摺動子片によって行なえるので、パネルに回転型電気部品を精度良く位置決めできると共に、ハウジングが回路基板に対して移動可能であるので、外部接続端子にストレスが加わることがなく、接続信頼性を向上できる。
【００１６】
また、摺動子片は、弾性変形可能に形成され、外部接続端子が延出されたハウジングの底面部には、摺動子片が弾性変形した際に、摺動子片を収納する凹溝部を形成したことから、ハウジングが回路基板に取付けられた時には、外部接続端子の摺動子片は凹溝部に収められるので、摺動子片と回路基板の接続部に異物が入り込みにくく、取付後における接続信頼性を高めることができる。
また、外部接続端子は、ハウジングに埋設されて一体的に形成され、摺動子片を収納する凹溝部の天面側は、外部接続端子と一体の金属板により封止したことから、ハウジング内部に収納された信号検出手段へ塵埃などが侵入することがなく、検出信頼性の高い回転型電気部品が得られる。
また、外部接続端子は、少なくとも３箇所に形成され、これらの外部接続端子を、回転軸の周方向に沿って、それぞれ異なる角度位置に配置したことから、ハウジングは３点支持によって回路基板上に位置されるので、バランス良くハウジングを回路基板に取付けることができる。
【００１７】
また、第１の解決手段乃至第４の解決手段の何れかに記載の回転型電気部品と、この回転型電気部品が取付けられる係合孔を有するパネルと、このパネルの下方に保持されると共に、回転型電気部品が実装される接続パターンを有する回路基板と、回転型電気部品の回転軸に取付けられてパネルの上方に配置されるツマミとを備え、パネルの係合孔に回転型電気部品の取付け部を位置決めすると共に、回路基板の接続パターンに外部接続端子の摺動子片を当接させた状態で、回路基板をパネルに保持したことから、回路基板の接続パターンに弾性変形可能な摺動子片を当接させることにより回転型電気部品の電気的な接続を行なえるので、パネルに回転型電気部品を精度良く位置決めできると共に、外部接続端子へ加わるストレスやツマミのセンターずれを抑えることができる。
【００１８】
また、パネルの前記係合孔に、上方へ突出する筒状部を形成し、この筒状部の内壁に回転型電気部品のハウジングから突出する回転軸の軸受け部を係合させたことから、確実にツマミのセンターずれを抑止でき、ツマミとパネルの隙間を小さくすることができる。
また、パネルの係合孔に、階段状の段差部を設け、この段差部に回転型電気部品のハウジングの上面周辺部を係合させたことから、確実に回転型電気部品が上下方向へ移動するのを防止でき、精度良く位置決めできる。
【発明を実施するための最良の形態】
【００１９】
以下、本発明の回転型電気部品の実施形態を図１乃至図４に示す。図１は本発明の回転型電気部品の正面図、図２は回転型電気部品の底面図、図３は回転型電気部品の要部断面図、図４は回転型電気部品の取付構造を示す要部断面図である。
【００２０】
図１乃至図３において、ケース１は合成樹脂等の絶縁材で上面開口状の略方形状に形成されており、内部に収納部１ａを有している。この収納部１ａの内底部には、導電性の金属板からなる端子板２がインサート成形等の方法で一体に埋設されている。この端子板２の上方には、端子板２から曲げ起こされて弾性変形可能に形成され、その先端側が収納部１ａ内に表出された複数の摺動接点２ａ（本実施例では３個）、及び図示しない接続接点（１個）が配設されている。
【００２１】
前記複数の摺動接点２ａは、後述する回転体３の下部に設けられた導電パターン４と摺動して回転方向の信号の検出が行なわれ、また、図示しない接続接点は、後述する回転軸５の押圧操作に伴って接続されて押圧方向の信号の検出が行なわれるものとなっている。
【００２２】
また、前記ケース１の底面側には、ケース１の四辺に沿った状態で、複数の凹溝部１ｂ（本実施例では４個）が形成されている。また、これらの凹溝部１ｂの天面側には、前記ケース１に埋設されて一体的に形成された前記端子板２がその開口部を塞いで封止するように配設されている。また、前記凹溝部１ｂには、前記ケース１の底面に沿って屈曲して形成すると共に、前記端子板２から曲げ起こされて弾性変形可能に形成され、その先端側がケース１の底面よりも突出して前記凹溝部１ｂ外に延出された外部接続端子２ｂが形成されている。
【００２３】
前記外部接続端子２ｂは、その先端側が逆Ｕ字状に形成され、このＵ字状の先端側が後述する回路基板１２の接続パターンと摺動する摺動子片２ｃを形成している。また、前記摺動子片２ｃが回路基板１２の接続パターンと摺動する際には、摺動子片２ｃは弾性変形することで前記凹溝部１ｂ内に収納されるものとなっている。
【００２４】
このように、前記摺動子片２ｃは、弾性変形可能に形成され、前記外部接続端子２ｂが延出された前記ケース１の底面部には、前記摺動子片２ｃが弾性変形した際に、摺動子片２ｃを収納する前記凹溝部１ｂを形成するようにしてあるので、ケース１が後述する回路基板１２に取付けられた時には、前記外部接続端子２ｂの摺動子片２ｃは、前記凹溝部１ｂに収められるので、前記摺動子片２ｃと回路基板１２の接続部に異物が入り込むことがなく、取付後における接続信頼性を高めることができるものとなっている。
【００２５】
また、前記外部接続端子２ｂは、前記ケース１に埋設されて一体的に形成され、前記摺動子片２ｃを収納する前記凹溝部１ｂの天面側は、前記外部接続端子２ｂと一体の金属板により封止するようにしたので、前記ケース１の収納部１ａ内に収納される、前記摺動接点２ａや接続接点等から構成される信号検出手段の接触部へ、塵埃などが侵入することがなく、検出信頼性の高い回転型電気部品が得られるものとなる。
【００２６】
また、前記外部接続端子２ｂは、後述する回転軸５の周方向に沿って、前記ケース１の底面のそれぞれ異なる角度位置に配置されており、本実施例では前記ケース１の四辺に沿った位置にそれぞれ４個配置されたものとなっている。
このように、前記外部接続端子２ｂは、少なくとも３箇所以上に形成されており、これらの外部接続端子２ｂを、回転軸５の周方向に沿って、それぞれ異なる角度位置に配置するようにしたため、前記ケース１は少なくとも３点支持によって後述する回路基板１２上に位置されるので、バランス良く前記ケース１等を回路基板１２に取付けることができるものとなる。
【００２７】
回転体３は、合成樹脂等の絶縁材で形成され、前記収納部１ａに回転可能に配設されており、中央に空洞部３ｃを有する円盤状の基部３ａと、この基部３ａの中央上方に突出する円形の筒状部３ｂとを有している。前記空洞部３ｃの内壁の周方向には、上下方向に沿って連続する複数のカム状の縦溝部３ｄが形成されている。また、前記基部３ａの下面側には、導電性の金属板を一体的に埋設して形成された導電パターン４が形成されており、回転体３が回転する際には、この導電パターン４に前記収納部１ａ内に配設された前記摺動接点２ａが摺接するものとなっている。
【００２８】
また、前記基部３ａの上面側には、図示しない複数の凹凸部からなるカム部が設けられており、このカム部に後述する軸受け部材７に設けられたクリック板８が当接されて、回転体３が回転する際のクリック感触が得られるものとなっている。また、前記筒状部３ｂが、軸受け部材７に収容されて回転可能に軸支されるものとなっている。
【００２９】
回転軸５は、合成樹脂等の絶縁材、あるいはアルミニウム等の金属材からなり、後述する軸受け部材７に回転可能に軸支される丸棒状の支軸部５ａと、この支軸部５ａの上端側に設けられたツマミ装着部５ｂと、支軸部５ａの下端側に設けられたやや細径の連結部５ｃとを有している。また、前記連結部５ｃには、合成樹脂等の絶縁材からなる連結部材６が圧入等の方法で一体的に係合されており、前記回転軸５の回転に伴い共回りするようになっている。
【００３０】
また、前記連結部材６の外周部の周方向には、上下方向に沿って連続する図示しない複数のカム状の突出部が形成されており、この突出部と前記回転体３の空洞部３ｃ内壁に設けられた前記縦溝部３ｄがスプライン結合することにより、前記連結部材６及び回転軸５が軸線方向に移動可能であると共に、前記回転軸５の回転に伴って連結部材６を介して前記回転体３が共回り可能に結合されるものとなっている。また、前記回転軸５が押圧されて軸線方向に移動した際には、前記連結部材６が回転体３の空洞部３ｃを下降して、前記収納部１ａに配設された図示しない接続接点が押圧されることで押圧方向の信号の検出が行なわれるものとなっている。
【００３１】
軸受け部材７は、合成樹脂等の絶縁材、あるいは亜鉛ダイキャスト等で形成され、略方形状のカバー部７ａと、このカバー部７ａから突出して設けられた略円筒状の軸受け部７ｂとを有している。前記カバー部７ａは、下面に開口状の収納部７ｃを有しており、この収納部７ｃには、弾性を有する金属板からなるクリック板８が配設されている。このクリック板８の摺動突起８ａが、前記回転体３の上面側に設けられた図示しない複数の凹凸部からなるカム部に当接されて、回転体３が回転する際のクリック感触が得られるものとなっている。
【００３２】
また、前記軸受け部７ｂには、前記収納部７ｃに連続する大径の中空部７ｄと、この中空部７ｄに連続するやや小径の軸孔部７ｅとを有している。また、前記中空部７ｄには、前記回転体３の筒状部３ｂが収容されて、前記回転体３が前記軸受け部材７に回転可能に軸支されており、また前記軸孔部７ｅには、前記回転軸５の丸棒状の支軸部５ａが軸支されて、軸受け部７ｂに前記回転軸５が回転可能に軸支されている。
【００３３】
前記軸受け部材７は、前記ケース１と、互いの収納部１ａ、７ｃの開口部同士を組み合わせた状態で係合されて、収納部１ａ、７ｃ内に前記回転体３を収納した状態で金属板等からなる枠体９により一体化されている。尚、前記ケース１と軸受け部材７とで回転型電気部品のハウジングを構成している。また、前記収納部１ａの内底面に配設された摺動接点２ａ及び接続接点（図示せず）と、回転体３の基部３ａ下面側に配設された導電パターン４とで、回転軸５の回転方向と押圧（プッシュ）方向の信号検出手段を構成している。
【００３４】
上記構成の回転型電気部品の動作について説明すると、まず、前記回転軸５が回転操作された場合には、前記回転軸５の回転に伴って、連結部５ｃに一体的に係合されている連結部材６が回転し、この連結部材６とスプライン結合されている前記回転体３が前記回転軸５の回転に伴い共回りする。この時、前記回転体５の基部３ａ下面側に配設された導電パターン４と、前記収納部１ａの内底面に配設された、それぞれの摺動接点２ａとが摺接されることにより、回転軸５の回転方向、及び回転位置などに対する信号（例えば、コード信号等）が検出され、所望の信号検出が行なわれるものとなる。
【００３５】
次に、前記回転軸５が押圧操作された場合には、前記回転軸５の押圧に伴って、連結部５ｃに一体的に係合されている連結部材６が下方へ移動する。この時、連結部材６と前記回転体３とはカム状の突出部（図示せず）と縦溝部３ｄとによってスプライン結合されているため、前記回転体３は連結部材６の移動にかかわらずその位置に停止したままの状態を維持している。そして、連結部材６が前記収納部１ａの内底面に配設された接続接点（図示せず）を押圧することで下方に配設されたコモン接点（図示せず）と接続され、信号検出（例えば、オン信号など）が行なわれるものとなっている。
【００３６】
図４は、上記構成の回転型電気部品を電子機器などのパネル及び回路基板に取り付けた状態の構造を示している。
上記構成の回転型電気部品の取付構造を説明すると、電子機器などのパネル１１には、回転型電気部品を係合して取り付けるための、係合孔１１ａが設けられている。また、この係合孔１１ａには、上方へ突出する筒状部としての環状の円筒部１１ｂと、この円筒部１１ｂの下方に位置する階段状の段差部１１ｃが設けられている。
【００３７】
そして、前記パネル１１の係合孔１１ａに、回転軸５が突出した状態で回転型電気部品１０が挿入されて係合されており、この場合、前記円筒部１１ｂに前記軸受け部材７の軸受け部７ｂが嵌合されると共に、前記段差部１１ｃにカバー部７ａの上面周辺部が係止されて、左右方向及び上方への移動が阻止されて軸受け部材７及びケース１が係合孔１１ａに位置決めされた状態で係合されている。
尚、軸受け部７ｂとカバー部７ａの上面周辺部がパネル１１に位置決めされて回転型電気部品１０が取付けられる取付け部となっている。
【００３８】
このように、前記パネル１１の係合孔１１ａに、階段状の前記段差部１１ｃを設け、この段差部１１ｃに回転型電気部品１０の軸受け部材７のカバー部７ａ上面周辺部を係合させているので、確実に回転型電気部品１０が上方向へ移動するのを防止でき、精度良く位置決めできるものとなっている。
【００３９】
そして、前記パネル１１の裏側には、回路基板１２が保持されている。この場合、前記回路基板１２に設けられた接続パターン（図示せず）に回転型電気部品１０の底面側に延出された外部接続端子２ｂの摺動子片２ｃを当接させた状態で、前記回路基板１２が前記パネル１１にネジ１３等によってネジ止めされて保持されている。また、この場合、前記回転型電気部品１０は前記パネル１１の係合孔１１ａに嵌合されて保持されているが、前記回路基板１２には前記摺動子片２ｃの有する弾性により圧接された状態となっており、固定されておらず、前記回路基板１２の接続パターン上を摺動可能となっている。
【００４０】
また、前記パネル１１には、外装されるツマミ１４の取付け孔１１ｄが設けられており、この取付け孔１１ｄの中央に、前記回転型電気部品１０を係合する前記係合孔１１ａの円筒部１１ｂが形成されている。そして、ツマミ１４が回転型電気部品１０の回転軸５のツマミ装着部５ｂに装着されて、前記パネル１１の取付け孔１１ｄに回転可能に配設されている。
【００４１】
このように、前記パネル１１の係合孔１１ａに回転型電気部品１０の取付け部である軸受け部７ｂ及びカバー部７ａを位置決めすると共に、前記回路基板１２の接続パターン（図示せず）に前記外部接続端子２ｂの摺動子片２ｃを当接させた状態で、前記回路基板１２を前記パネル１１に保持するようにしているので、前記回路基板１２の接続パターンに弾性変形可能な前記摺動子片２ｃを当接させることにより回転型電気部品１０の電気的な接続を行なえるので、前記パネル１１に回転型電気部品１０を精度良く位置決めできると共に、外部接続端子２ｂへ加わるストレスやツマミのセンターずれを抑えることができるものとなっている。
【００４２】
また、前記パネル１１の前記係合孔１１ａに、上方へ突出する環状の前記円筒部１１ｂを形成し、この円筒部１１ｂの内壁に回転型電気部品１０から突出する回転軸５の軸受け部７ｂを係合させたので、確実にツマミ１４のセンターずれを抑止でき、ツマミ１４とパネル１１の取付け孔１１ｄとの隙間を小さくすることができるものとなっている。
【００４３】
尚、前記パネル１１に回転型電気部品１０を取り付ける場合に、ハウジングなどに予めスナップ用の脚部等を設けておき、回転型電気部品１０を最初に前記回路基板１２にスナップ用の脚部等で仮止めしておいてから、前記パネル１１に取り付けるようにしても良い。
【００４４】
上記した本発明の実施例によれば、前記外部接続端子２ｂを、前記ケース１のの底面に沿って屈曲して形成すると共に、この屈曲部で前記回路基板１２に対して摺動可能な前記摺動子片２ｃを形成したことから、回転型電気部品１０と前記回路基板１２の接続パターンとの電気的な接続は、前記ケース１の底面に沿って形成した前記摺動子片２ｃによって行なえるので、前記パネル１１に回転型電気部品１０を精度良く位置決めできると共に、前記ケース１が前記回路基板１２に固定されずに、前記摺動子片２ｃが摺動可能に配置されているので、前記外部接続端子２にストレスが加わることがなく、接続信頼性を向上できるものとなっている。
【図面の簡単な説明】
【００４５】
【図１】本発明の回転型電気部品を示す正面図である。
【図２】本発明の回転型電気部品を示す底面図である。
【図３】本発明の回転型電気部品を示す要部断面図である。
【図４】本発明の回転型電気部品の取付構造を示す断面図である。
【図５】従来の回転型電気部品の取付構造を示す断面図である。
【符号の説明】
【００４６】
１：ケース（ハウジング）
１ａ：収納部
１ｂ：凹溝部
２：端子板
２ａ：摺動接点（信号検出手段）
２ｂ：外部接続端子
２ｃ：摺動子片
３：回転体
３ａ：基部
３ｂ：筒状部
３ｃ：空洞部
３ｄ：縦溝部
４：導電パターン（信号検出手段）
５：回転軸
５ａ：支軸部
５ｂ：ツマミ装着部
５ｃ：連結部
６：連結部材
７：軸受け部材（ハウジング）
７ａ：カバー部（取付け部）
７ｂ：軸受け部（取付け部）
７ｃ：収納部
７ｄ：中空部
７ｅ：軸孔部
８：クリック板
８ａ：摺動突起
９：枠体
１０：回転型電気部品
１１：パネル
１１ａ：係合孔
１１ｂ：円筒部（筒状部）
１１ｃ：段差部
１１ｄ：取付け孔
１２：回路基板
１３：ネジ
１４：ツマミ
【図１】
2005251955.tif 000003
【図２】
2005251955.tif 000004
【図３】
2005251955.tif 000005
【図４】
2005251955.tif 000006
【図５】
2005251955.tif 000007